(57)【特許請求の範囲】
【請求項１】
静電気による溶剤への引火の危険性を安全に体感する装置であって、
静電気発生装置と、
シャッターと、排気ファンと、前記シャッターと前記排気ファンとの間の空気の流路を形成する壁とによって構成される局所排気装置を有する透明容器と、
前記局所排気装置のＯＮ状態とＯＦＦ状態を切り替える機構と、
前記透明容器内に配置する溶剤容器と、
前記溶剤容器に溶剤を注入するための機構と、
前記静電気発生装置に接続され、前記溶剤容器の上に配置される一対の金属体と、
前記静電気発生装置で発生した静電気量を測定する装置と、前記静電気量を測定する装置による測定結果の表示部と、
を備えることを特徴とする溶剤引火体感装置。
【請求項２】
静電気による溶剤への引火の危険性を体感する装置であって、
静電気発生装置と、
シャッターと、排気ファンと、前記シャッターと前記排気ファンとの間の空気の流路を形成する壁とによって構成される局所排気装置を有する透明容器と、
前記局所排気装置のＯＮ状態とＯＦＦ状態を切り替える機構と、
前記透明容器の外側から前記透明容器の壁を貫いて前記透明容器内の底面の直上に達す
る引火実験用ガスの配管と、
透明容器内に引火実験用ガスを注入するための機構と、
前記静電気発生装置に接続され、前記透明容器内の底面の直上の引火実験用ガスの配管の先端近くに配置される一対の金属体と、
前記静電気発生装置で発生した静電気量を測定する装置と、前記静電気量を測定する装置による測定結果の表示部と、を備えることを特徴とする溶剤引火体感装置。
【発明の詳細な説明】
【技術分野】
【０００１】
本発明は、静電気による溶剤への引火性と局所排気の重要性を体感する装置に関する。
【背景技術】
【０００２】
印刷現場など作業現場において、溶剤に静電気起因で引火すると大変な災害になる。そのため、生産現場では事故を防止するため、作業者に講義などを通して、危険性を説く安全教育が行われてきた。しかしながら、講義は観念的な学習であるため、引火の危険性を実感として受け止めにくいという問題があったため、視覚的な臨場感を伴うように、実際の引火による危険性を体感することが、さらなる危険感度形成に求められていた。そこで静電気による溶剤爆発を体感する静電気溶剤爆発体感装置が提案されている（特許文献１）。
【先行技術文献】
【特許文献】
【０００３】
【特許文献１】実用新案登録第３１９５５０号公報
【発明の概要】
【発明が解決しようとする課題】
【０００４】
特許文献１に記載された装置は、静電気を原因とする溶剤爆発を体感し、除電の重要性を認識させるものであり、溶剤への引火による爆発を対象としている。しかしながら、作業現場では除電だけでは安全を確保しきれない場合があるので、別の方法を用いて安全を確保する必要性がある。静電気による溶剤への引火の危険性が局所排気により避けられることを作業者に認識させ、作業現場での安全な作業を実施するための常識を形成することが重要である。
以上を鑑みて本発明は、静電気による溶剤への引火の危険性と局所排気の重要性とを安全に体感できる溶剤引火体感装置を提供することを課題とする。
【課題を解決するための手段】
【０００５】
本発明は上記課題を解決するためになされたもので、静電気による溶剤への引火の危険
性を安全に体感する装置であって、静電気発生装置と、シャッターと、排気ファンと、前記シャッターと前記排気ファンとの間の空気の流路を形成する壁とによって構成される局所排気装置を有する透明容器と、前記局所排気装置のＯＮ状態とＯＦＦ状態を切り替える機構と、前記透明容器内に配置する溶剤容器と、溶剤皿に溶剤を注入するための機構と、前記静電気発生装置に接続され、前記溶剤容器の上に配置される一対の金属体と、前記静電気発生装置で発生した静電気量を測定する装置と、前記静電気量を測定する装置による測定結果の表示部と、を備えることを特徴とする溶剤引火体感装置である。
【０００６】
本発明の請求項２の発明は、静電気による溶剤への引火の危険性を体感する装置であって、静電気発生装置と、シャッターと、排気ファンと、前記シャッターと前記排気ファンとの間の空気の流路を形成する壁とによって構成される局所排気装置を有する透明容器と、前記局所排気装置のＯＮ状態とＯＦＦ状態を切り替える機構と、前記透明容器の外側から前記透明容器の壁を貫いて前記透明容器内の底面の直上に達する引火実験用ガスの配管と、透明容器内に引火実験用ガスを注入するための機構と、前記静電気発生装置に接続され、前記透明容器内の底面の直上の引火実験用ガスの配管の先端近くに配置される一対の金属体と、前記静電気発生装置で発生した静電気量を測定する装置と、前記静電気量を測定する装置による測定結果の表示部と、を備えることを特徴とする溶剤引火体感装置である。
【発明の効果】
【０００７】
本発明によれば、静電気による溶剤への引火の危険性と局所排気の重要性を体感できる。
【図面の簡単な説明】
【０００８】
【図１】本発明の第一実施形態における溶剤引火体感装置の全体構成概略図。
【図２】本発明の第二実施形態における溶剤引火体感装置の全体構成概略図。
【発明を実施するための形態】
【０００９】
以下、本発明の第一実施形態における溶剤引火体感装置について添付図面を参照して説明する。
【００１０】
図１は本発明の第一実施形態における溶剤引火体感装置の全体構成概略図である。溶剤引火体感装置は、静電気発生装置１と、シャッター４０と、排気ファン４１と、シャッター４０と排気ファン４１間の空気の流路を形成する壁によって構成される局所排気装置３を有する透明容器５と、前記局所排気装置のＯＮ状態とＯＦＦ状態を切り替える機構と、透明容器５内に配置する溶剤皿６と、溶剤皿６に溶剤を注入するための配管１５と静電気発生装置１に接続され、溶剤皿６の上に配置される一対の金属棒１１と、静電気量測定機１２と、静電気表示部２と、から構成される。
【００１１】
静電気発生装置１はバンデグラーフ型の静電高圧発生装置を用いたもの等が使用できる。
【００１２】
静電気発生装置１で発生する静電気の静電気量は静電気量測定機１２で測定され、静電気量表示部２で表示される。
【００１３】
透明容器５は、透明な外壁を持つ、内部の状態を目視可能な容器である。透明容器５に使用される材質はポリカーボネートなどの耐衝撃性および耐火性をもつ材質で、透明で内部の状態を目視可能であればなんでもよい。
【００１４】
透明容器５の外壁には、局所排気装置３が接続されている。シャッター４０は透明容器５の外壁の一部に接続され、開閉することで透明容器５内外の空気の移動を制御する。シャッター４０が開いている時には透明容器５内部の空気は外部へ移動できるが、シャッター４０が閉じている時には透明容器５内部の空気は外部へ移動できない。シャッター４０を通って透明容器５の外部に移動した空気は壁の内側を通って排気ファン４１に到達し、排気ファン４１によって局所排気装置３の外部へダクト４２を通じて排気される。
【００１５】
局所排気装置のＯＮ状態とＯＦＦ状態を切り替える機構は、前記局所排気装置３により透明容器５内部の空気が有効に排気される状態と、有効に排気されない状態とを切り替えることができる。空気が有効に排気される状態の時は、局所排気装置３のシャッター４０は開いており、かつ排気ファン４１がＯＮになっている。一方で、空気が有効に排気されない状態の時は、局所排気装置３のシャッター４０が開いており、排気ファン４１がＯＦＦになっているか、もしくは排気ファン４１がＯＮもしくはＯＦＦのいずれかでシャッター４０が閉じている。空気が有効に排気されない状態の時のシャッター４０と排気ファン４１の状態は、前述のいずれの状態でもよい。
【００１６】
透明容器５の内部の底面には、溶剤皿６が配置されている。溶剤皿６は内部に溶剤を蓄えられるものであればよく、形状は皿状でも、筒状でも椀状でもなんでもよい。透明容器５の外壁には溶剤注入口８が設けられており、配管１５が溶剤注入口８に接続され、配管１５の逆端は溶剤皿６の直上に配置される。溶剤注入口８に、内部に溶剤を満たした溶剤入りシリンジ９を挿入し、溶剤を押し出すことで、溶剤皿６に溶剤７を注入することができる。溶剤にはメチルエチルケトン（MEK）、アセトンなどの揮発性かつ引火性の溶剤を使用する。透明容器５内部の溶剤皿６に溶剤７を注入すると、溶剤７が揮発し、透明容器５内部は溶剤雰囲気になる。
【００１７】
静電気発生装置１には電線１０が接続され、電線１０は、透明容器５の外壁を貫いて、溶剤皿６の直上に配置されている一対の金属棒１１に接続されている。金属棒１１は、静電気発生装置１によって負に帯電した１個以上の金属体と、正に帯電した１個以上の金属体の計２個以上の金属体から構成され、正に帯電した金属体から負に帯電した金属体に電流が流れる。金属体の形状は棒に限られるものではなく、片方の金属体からもう一方の金属体へ電流が流れるならばなんでもよく、三角錐や立方体や球であってもよい。
【００１８】
次に、溶剤引火の体感をするための動作手順を説明する。溶剤引火を体感するための手順は、局所排気体感、溶剤引火体感の２段階の手順で構成される。
【００１９】
＜局所排気体感＞
透明容器５に接続される局所排気装置３による局所排気の有効性を確認する。まず初めに、透明容器５内に視認可能な気体を充填する。塩化第二錫から発生した白煙を採取し、煙を噴霧する道具（不図示）により、白煙を透明容器５内に噴霧する。透明容器５内部に視認可能な気体を充填するための方法は前述の方法に限られず、塩化第二錫のように常温常圧で煙を生じる液体を溶剤皿６に注入しても良いし、透明容器５内部で線香や蝋燭を燃焼させて煙を発生させても良い。続いて、次の手順により局所排気装置が有効に動作していないときの体感を行う。
１）局所排気装置３のシャッター４０を閉める。
２）局所排気装置３の排気ファン４１をＯＮにする。
３）煙を噴霧する道具により煙を、透明容器５内に噴霧する。
４）煙の挙動を観察し、煙が滞留することを確認する。
５）排気ファンをＯＦＦにする。
【００２０】
また、次の手順で局所排気が有効に動作しているときの体感動作を行う。
１）局所排気装置３のシャッター４０を開ける。
２）局所排気装置３の排気ファン４１をＯＮにする。
３）煙を噴霧する道具により煙を、透明容器５内に噴霧する。
４）煙の挙動を観察し、煙が排気されていくのを確認する。
５）排気ファン４１をＯＦＦにする。
【００２１】
これにより、局所排気装置が有効に機能すると透明容器５の内部の空気が排気されるのを確認する。
【００２２】
＜溶剤引火体感＞
次に局所排気装置が有効に動作していない時の溶剤引火体感を行う。
１）局所排気装置３のシャッター４０を閉める。
２）局所排気装置３の排気ファン４１をＯＮにする。
３）溶剤注入口８に、溶剤入りシリンジ９を差し、溶剤７を注入し、溶剤皿６に金属棒１１に触れない程度に溶剤７を入れる。
４）静電気発生装装置１により静電気を発生させる。このときの静電気の発生量を静電気量測定機１２によって測定し、静電気量表示部２で値を確認する。
５）溶剤皿６の溶剤への引火を確認する。
６）静電気発生装置１をＯＦＦにし、局所排気装置３の排気ファン４１をＯＦＦにする。
【００２３】
次に局所排気装置が有効に動作している時の体感を行う。
１）局所排気装置３のシャッター４０を開ける。
２）局所排気装置３の排気ファン４１をＯＮにする。
３）溶剤注入口８に、溶剤入りシリンジ９を差し、溶剤７を注入し、溶剤皿６に金属棒１１に触れない程度に溶剤７を入れる。
４）静電気発生機１により静電気を発生させる。このときの静電気の発生量を静電気量測定機１２によって測定した値が表示される静電気量表示部２で確認する。
５）静電気量表示部２により、静電気量が局所排気装置３のシャッター４０を閉めていた時には溶剤への引火が確認された値に達しても、溶剤皿６の溶剤には引火されないのを確認する。
６）静電気発生装置１をＯＦＦし、局所排気装置３の排気ファン４１をＯＦＦにする。
【００２４】
このようにして、静電気発生装置１２で静電気を発生した時に、透明容器５の局所排気装置３が有効に動作していない場合、溶剤皿６の溶剤７に引火することを、局所排気装置３が有効に動作している場合には、溶剤皿６の溶剤７に引火することがないことを体感する。
【００２５】
第一実施形態に示した構成により、静電気による溶剤引火の危険性と局所排気の重要性を体感できる。
【００２６】
以下、本発明の第二実施形態おける溶剤引火体感装置について添付図面を参照して説明する。第二実施形態における溶剤引火体感装置は、作業現場における溶剤貯蔵容器から溶剤が揮発して床付近に沈降し、沈降した溶剤へ引火する場合の危険性を体感するための装置である。本発明の第一実施形態に用いる程度の少量の溶剤を用いた場合では、床面に溶剤が沈降する状態を再現することが困難なため、第二実施形態では可燃性ガスを用いる。図２は本発明の第二実施形態における溶剤引火体感装置の全体構成概略図である。溶剤引火体感装置は、静電気発生装置１と、シャッター４０と、排気ファン４１と、シャッター４０と排気ファン４１の間の空気の流路を形成する壁によって構成される局所排気装置３を有する透明容器５と、前記局所排気装置のＯＮ状態とＯＦＦ状態を切り替える機構と、前記透明容器５の外側から前記透明容器５の壁を貫いて前記透明容器５内の底面の直上に達する引火実験用ガスの配管２５と、前記透明容器５内の底面の直上の引火実験用ガスの配管２５の先端近くに配置され前記静電気発生装置と接続される一対の金属棒１１と、静電気量測定機１２と、静電気量表示部２と、から構成される。静電気発生装置１にはバンデグラーフ型の静電高圧発生装置を用いたもの等が使用できる。静電気発生装置１で発生する静電気の静電気量は静電気量測定機１２で測定され、静電気量表示部２で表示される。
【００２７】
透明容器５は、透明な外壁を持つ、内部の状態を目視可能な容器である。使用される材質はポリカーボネートなどの耐衝撃性および耐火性をもつ材質である。
【００２８】
透明容器５のおよび局所排気装置３および局所排気装置のＯＮ状態とＯＦＦ状態を切り替える機構は第一実施形態と同様のものを用いるため、説明を省略する。
【００２９】
透明容器５の外側から透明容器５の壁を貫いて前記透明容器５内の底面の直上に達するように、引火実験用ガスの配管２５が配置されている。透明容器５の外壁には実験用ガス配管入口１８が設けられており、その口に実験用ガスが入った実験用ガス入りシリンジ１９を挿入し、実験用ガスを注入する。注入されたガスは、配管２５を通り、透明容器５内の底面に滞留する。実験用ガスはブタン、プロパン等の可燃性のガスを使用する。
【００３０】
静電気発生装置１には電線１０が接続され、その電線１０は透明容器５の外壁を貫いて、引火実験用ガスの配管２５の先端付近で、透明容器５内の底面の直上にある金属棒１１に接続されている。金属棒１１は、静電気発生装置１によって負に帯電した1個以上の金属体と、正に帯電した1個以上の金属体の計２個以上の金属体から構成され、正に帯電した金属体から負に帯電した金属体に電流が流れる。金属体の形状は棒に限られるものではなく、片方の金属体からもう一方の金属体へ電流が流れるならばなんでもよく、三角錐や立方体や球であってもよい。
【００３１】
次に、本発明の第二実施形態における溶剤への引火体感動作手順を説明する。溶剤への引火体感動作手順は、局所排気体感、溶剤引火体感の２段階の手順で構成される。
【００３２】
局所排気体感は第一実施形態で記述されたものと同じであるため、説明を省略する。
【００３３】
＜溶剤引火体感＞
まず、局所排気が有効に動作していない時の引火体感を行う。
１）局所排気装置３のシャッター４０を閉める。
２）局所排気装置３の排気ファン４１をＯＮにする。
３）実験用ガス配管入口１８に実験用ガス入りシリンジ１９を挿入し、実験用ガスを注入する。注入されたガスは配管２５を通り、透明容器５内の底面付近に滞留する。
４）静電気発生装置１をＯＮにし、静電気を発生させる。このときの静電気の発生量を静電気量測定機１２によって測定し、静電気量表示部２で値を確認する。
５）底面に滞留したガスへの引火を確認する。
６）静電気発生装置１をＯＦＦにし、局所排気装置３の排気ファンをＯＦＦにする。
【００３４】
次に、局所排気が有効に動作している時の体感を行う。
１）局所排気装置３のシャッター４０を開ける。
２）局所排気装置３の排気ファン４１をＯＮにする。
３）実験用ガス配管入口１８に実験用ガス入りシリンジ１９を差し、実験用ガスを注入する。注入されたガスは、配管２５を通り、透明容器５内の底面付近に滞留する。
４）静電気発生装置１をＯＮにし、静電気を発生させる。このときの発生した静電気の量を静電気量測定機１２によって測定した値が表示される静電気量表示部２で確認する。
５）静電気量表示部２により、静電気量が局所排気装置３のシャッターを閉めていた時にはガスへの引火が確認された値に達しても、底面に近くの金属棒１１付近で引火しないことを確認する。
６）静電気発生装置１をＯＦＦにし、局所排気装置３の排気ファン４１をＯＦＦにする。
【００３５】
このようにして、引火実験用ガス用の配管２５に引火実験用ガスを注入し透明容器５内の底面に引火実験用ガスを沈降させ、前記静電気発生装置で静電気を発生した時に、透明容器５の局所排気装置３が有効に動作していない場合、透明容器５内の底面に滞留した引火実験用ガスに引火し、局所排気装置３が有効に動作している場合には、透明容器５内の底面で引火することがないことを体感できる。
【００３６】
以上のような本発明の構成によって、静電気による溶剤への引火性と局所排気の重要性を体感できる。
【符号の説明】
【００３７】
１・・・静電気発生装置
２・・・静電気量表示部
３・・・局所排気装置
５・・・透明容器
６・・・溶剤皿
７・・・溶剤
８・・・溶剤注入口
９・・・溶剤入りシリンジ
１０・・・電線
１１・・・金属体
１２・・・静電気量測定機
１５・・・配管
１８・・・実験用ガス配管入口
１９・・・実験用ガス入りシリンジ
２５・・・配管
３３・・・溶剤
４０・・・シャッター
４１・・・排気ファン
４２・・・ダクト
【図１】
0006699164.tif 000002
【図２】
0006699164.tif 000003